【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
ナロービームによる動作が可能な適応アンテナを備えたセルラー無線通信システムにおいてハンドオーバをサポートする方法であって、移動端末は、前記セルラー無線通信システムにおける少なくとも１つのセルからなるアクティブセルセットによってサービスを提供され、
前記方法は、
前記移動端末について新しくサービスを提供することになる無線リンクを確立するのに先立って、現在のアクティブセルセットに近接した近接エリア内のナローターゲットビームを、該近接エリア内における複数のナロービームについての事前に確立された情報に基づいて、選択する選択ステップと、
選択した前記ナローターゲットビームを用いて直接的に前記新しくサービスを提供することになる無線リンクを確立する処理を開始する開始ステップと
を含み、
前記選択ステップは、前記ハンドオーバを開始する際に、前記事前に確立された情報に基づいて直接的に実行されるステップであり、
前記事前に確立された情報には、
前記近接エリア内のナロービームを識別するための識別情報を含む、無線中心環境についての情報と、
前記複数のナロービームについての推定された性能の推定値についての情報と
が含まれている
ことを特徴とする方法。
【請求項２】
前記選択ステップは、
通信品質の測定値にしたがって前記近接エリア内のターゲットセルを選択するステップと、
前記ターゲットセル内のナロービームについて事前に確立された情報に基づいて、該ターゲットセル内における前記ナローターゲットビームを選択するステップと
を含むことを特徴とする請求項１に記載の方法。
【請求項３】
前記ナローターゲットビームは、前記複数のナロービームのうちその性能の推定値が最高となったナロービームから選択されることを特徴とする請求項１に記載の方法。
【請求項４】
ナロービームについての前記性能の推定値は、類似のハンドオーバ環境下において実行された当該ナロービームへの過去におけるハンドオーバの成功率を少なくとも基礎として得られた推定値であることを特徴とする請求項１に記載の方法。
【請求項５】
前記事前に確立された情報は、ネットワーク側に配置されたテーブルに記憶されており、
前記ナローターゲットビームを探索するために前記テーブルのルックアップが実行され、
前記テーブルは、前記セルラー無線通信システムの設置時に実行された前記無線中心環境の測定結果に基づいて構築されたテーブルであり、前記複数のナロービームの識別情報と推定値とを備えている
ことを特徴とする請求項１に記載の方法。
【請求項６】
前記選択ステップは、
前記アクティブセルセットに含まれている現在のセルの情報に少なくとも部分的に基づいて実行されるステップである
ことを特徴とする請求項１に記載の方法。
【請求項７】
前記選択ステップは、
前記アクティブセルセットに含まれている現在のセルの情報と選択されたターゲットセルの情報とに基づいて実行されるステップである
ことを特徴とする請求項１に記載の方法。
【請求項８】
前記選択ステップは、
前記アクティブセルセットに含まれている現在のセルの情報と、選択されたターゲットセルの情報と、前記アクティブセルセットに含まれている該現在のセルに位置している前記移動端末について現在定義されているナロービームの情報とに基づいて実行されるステップである
ことを特徴とする請求項１に記載の方法。
【請求項９】
前記ナローターゲットビームを使用している前記新しくサービスを提供することになる無線リンクの無線通信品質が十分な品質でないと判定されると、前記新しくサービスを提供することになる無線リンクを、対応するセルにおけるワイドビームまたは他のナローターゲットビーム上に再構成するステップをさらに含む
ことを特徴とする請求項１に記載の方法。
【請求項１０】
前記複数のナロービームについての事前に確立された情報は、システム設置の際に確立された情報であることを特徴とする請求項１に記載の方法。
【請求項１１】
ナロービームによる動作が可能な適応アンテナを備えたセルラー無線通信システムにおいてハンドオーバをサポートする装置であって、移動端末は、前記セルラー無線通信システムにおける少なくとも１つのセルからなるアクティブセルセットによってサービスを提供され、
前記装置は、
前記移動端末について新しくサービスを提供することになる無線リンクを確立するのに先立って、現在のアクティブセルセットに近接した近接エリア内のナローターゲットビームを、該近接エリア内における複数のナロービームについての事前に確立された情報に基づいて、選択する選択手段と、
選択した前記ナローターゲットビームを用いて直接的に前記新しくサービスを提供することになる無線リンクを確立する処理を開始する開始手段と
を備え、
前記選択手段は、前記ハンドオーバを開始する際に、前記事前に確立された情報に基づいて直接的に前記ナローターゲットビームを選択し、
前記事前に確立された情報には、
前記近接エリア内のナロービームを識別するための識別情報を含む、無線中心環境についての情報と、
前記複数のナロービームについての推定された性能の推定値についての情報と
が含まれている
ことを特徴とする装置。
【請求項１２】
ナロービームによる動作が可能な適応アンテナを備えたセルラー無線通信システムにおけるネットワークユニットであって、
前記セルラー無線通信システムにおける複数のナロービームの情報を記憶する情報構造体と、
ハンドオーバ制御装置と
を備え、
前記ハンドオーバ制御装置は、
移動端末に新しくサービスを提供することになる無線リンクを確立するのに先立って、前記情報構造体を調査することで、前記移動端末についての現在のアクティブセルセットに近接した近接エリア内の適切なナローターゲットビームを抽出し、
選択した前記ナローターゲットビームを用いて直接的に前記新しくサービスを提供することになる無線リンクを確立する処理を開始する
ように構成されており、
前記ハンドオーバ制御装置は、ハンドオーバの際に、前記情報構造体を調査してナローターゲットビームを抽出するように構成されており、
前記事前に確立された情報には無線中心環境についての情報が含まれ、該無線中心環境についての情報には、ナロービームについての識別情報と推定値の情報とが含まれている
ことを特徴とするネットワークユニット。
【請求項１３】
前記ネットワークユニットは、
無線ネットワーク制御装置と、
移動管理サーバと、
アクセスゲートウェイと
のうちのいずれか１つであることを特徴とする請求項１２に記載のネットワークユニット。
【請求項１４】
ナロービームによる動作が可能な適応アンテナを備えたセルラー無線通信システムにおいてハンドオーバをサポートするデータベース装置であって、
前記データベース装置は、前記セルラー無線通信システムにおけるナロービームの情報を記憶し、
アクティブセルセットとターゲットセルとの組み合わせを、ナロービームと関連付け、
さらに、
アクティブセルセットとターゲットセルとの情報に応じてナローターゲットビームを特定できるように構築されており、
前記データベース装置は、
ナロービームを識別するための識別情報を含む、無線中心環境についての情報と、
前記複数のナロービームについての推定された性能の推定値についての情報と
を記憶している
ことを特徴とするデータベース装置。
【請求項１５】
前データベース装置は、
アクティブセルセットと、該アクティブセルセットにおけるアクティブナロービームと、ターゲットセルとの組み合わせを、ナロービームと関連付けて構築されており、
さらに、アクティブセルセットと、該アクティブセルセットにおけるアクティブナロービームと、ターゲットセルとの情報に応じてナローターゲットビームを特定できるように構築されている
ことを特徴とする請求項１４に記載のデータベース装置。